(57)【要約】  アノードと、イオン伝導性を有する固体電解質層と、を備え、前記アノードが、複合金属を含む粒状物の集合体であり、前記複合金属がニッケル元素および鉄元素を含み、前記粒状物が、複数の細孔を備え、前記複合金属が、前記アノードの８０質量％以上を占めており、前記アノードのかさ密度が、前記複合金属の真密度の７５％以下である、燃料電池用電解質層−アノード複合部材。上記燃料電池用電解質層−アノード複合部材と、前記固体電解質層側に配置されたカソードと、を備える、セル構造体。
2019171903.tif 000002
【特許請求の範囲】
【請求項１】
アノードと、
イオン伝導性を有する固体電解質層と、を備える燃料電池用電解質層−アノード複合部材であって、
前記アノードが、複合金属を含む粒状物の集合体であり、
前記複合金属が、ニッケル元素および鉄元素を含み、
前記粒状物が、複数の細孔を備え、
前記複合金属が、前記アノードの８０質量％以上を占めており、
前記アノードのかさ密度が、前記複合金属の真密度の７５％以下である、燃料電池用電解質層−アノード複合部材。
【請求項２】
前記細孔の径が、５００ｎｍ以下である、請求項１に記載の燃料電池用電解質層−アノード複合部材。
【請求項３】
請求項１に記載された燃料電池用電解質層−アノード複合部材と、
前記固体電解質層側に配置されたカソードと、を備える、セル構造体。
【請求項４】
請求項３に記載のセル構造体と、
前記アノードに燃料を供給するための燃料流路と、
前記カソードに酸化剤を供給するための酸化剤流路と、を備える、燃料電池。
【請求項５】
複合酸化物を含む第１層と、イオン伝導性を有する金属酸化物を含む第２層と、の積層体を、還元性ガス雰囲気下、３００℃〜６００℃で加熱処理する工程を備える、燃料電池用電解質層−アノード複合部材の製造方法であって、
前記複合酸化物は、ニッケル元素および鉄元素を含む、燃料電池用電解質層−アノード複合部材の製造方法。
【請求項６】
複合酸化物を含むアノード材料、および、イオン伝導性を有する金属酸化物を含む固体電解質材料を準備する第１工程と、
前記アノード材料を含む第１層、および、前記固体電解質材料を含む第２層が積層された積層体を形成する第２工程と、
前記積層体を焼成する第３工程と、
焼成された前記積層体を、還元性ガス雰囲気下、３００℃〜６００℃で加熱処理する第４工程と、を備える、燃料電池用電解質層−アノード複合部材の製造方法であって、
前記複合酸化物は、ニッケル元素および鉄元素を含む、燃料電池用電解質層−アノード複合部材の製造方法。
【請求項７】
前記複合酸化物がスピネル型結晶構造を有する、請求項５または請求項６に記載の燃料電池用電解質層−アノード複合部材の製造方法。
【請求項８】
前記複合酸化物が、硝酸ニッケルの水溶液に酸化鉄を含浸させる工程を含む含浸法により合成される、請求項５から請求項７のいずれか一項に記載の燃料電池用電解質層−アノード複合部材の製造方法。
【発明の詳細な説明】
【技術分野】
【０００１】
本開示は、燃料電池用電解質層−アノード複合部材、セル構造体および燃料電池、ならびに複合部材の製造方法に関する。本出願は、２０１８年３月６日に出願した日本特許出願である特願２０１８−０３９５２０号に基づく優先権を主張する。当該日本特許出願に記載された全ての記載内容は、参照によって本明細書に援用される。
【背景技術】
【０００２】
燃料電池（ＳＯＦＣ）に用いられるアノードは、通常、触媒としてのニッケル（Ｎｉ）成分を含む。このようなアノードは、一般に、酸化ニッケル（ＮｉＯ）を含む粒状の材料を焼結することにより形成される。固体電解質層とアノードとの複合部材（電解質層−アノード複合部材）は、例えば、ＮｉＯの粒状物を含む材料を用いてアノードを成形した後、その表面に固体電解質を塗布し、共焼結を行うことにより作製される。さらに、ＮｉＯをＮｉに還元する還元処理が行われる。これにより、Ｎｉの触媒としての機能が高まると同時に、アノードが多孔質化されて、燃料ガスの透過が可能となる。【０００３】
電解質層−アノード複合部材の作製工程、特に還元処理において、固体電解質層およびアノードの収縮率に差が生じる。その結果、固体電解質層とアノードとの間で剥離が生じる場合がある。上記剥離は電解質層−アノード複合部材の直径が大きくなるほど、生じ易くなる。固体電解質層とアノードとの間の剥離により、発電性能は著しく低下する。そこで、国際公開第２０１１／０７４４４５号（特許文献１）には、ＮｉＯを還元する際のセルの寸法変化率を制御することが教示されている。
【先行技術文献】
【特許文献】
【０００４】
【特許文献１】国際公開第２０１１／０７４４４５号
【発明の概要】
【０００５】
本開示の一局面は、アノードと、イオン伝導性を有する固体電解質層と、を備える燃料電池用電解質層−アノード複合部材であって、
前記アノードが、複合金属を含む粒状物の集合体であり、
前記複合金属が、ニッケル元素および鉄元素を含み、
前記粒状物が、複数の細孔を備え、
前記複合金属が、前記アノードの８０質量％以上を占めており、
前記アノードのかさ密度が、前記複合金属の真密度の７５％以下である、燃料電池用電解質層−アノード複合部材に関する。
【０００６】
本開示の他の一局面は、上記燃料電池用電解質層−アノード複合部材と、
前記固体電解質層側に配置されたカソードと、を備える、セル構造体に関する。
【０００７】
本開示のさらに他の一局面は、上記セル構造体と、
前記カソードに酸化剤を供給するための酸化剤流路と、
前記アノードに燃料を供給するための燃料流路と、を備える、燃料電池に関する。
【０００８】
本開示のさらに他の一局面は、複合酸化物を含む第１層と、イオン伝導性を有する金属酸化物を含む第２層と、の積層体を、還元性ガス雰囲気下、３００℃〜６００℃で加熱処理する工程を備える、燃料電池用電解質層−アノード複合部材の製造方法であって、
前記複合酸化物は、ニッケル元素および鉄元素を含む、燃料電池用電解質層−アノード複合部材の製造方法に関する。
【０００９】
本開示のさらに他の一局面は、複合酸化物を含むアノード材料、および、イオン伝導性を有する金属酸化物を含む固体電解質材料を準備する第１工程と、
前記アノード材料を含む第１層、および、前記固体電解質材料を含む第２層が積層された積層体を形成する第２工程と、
前記積層体を焼成する第３工程と、
焼成された前記積層体を、還元性ガス雰囲気下、３００℃〜６００℃で加熱処理する第４工程と、を備える、燃料電池用電解質層−アノード複合部材の製造方法であって、
前記複合酸化物は、ニッケル元素および鉄元素を含む、燃料電池用電解質層−アノード複合部材の製造方法に関する。
【図面の簡単な説明】
【００１０】
【図１】図１は、本開示の一実施形態に係る燃料電池を模式的に示す断面図である。
【図２】図２は、作製例１のアノードの表面を撮影した走査型電子顕微鏡写真である。
【図３】図３は、作製例２のアノードの表面を撮影した走査型電子顕微鏡写真である。
【図４】図４は、作製例３のアノードの表面を撮影した走査型電子顕微鏡写真である。
【図５】図５は、作製例４のアノードの表面を撮影した走査型電子顕微鏡写真である。
【図６】図６は、作製例５のアノードの表面を撮影した走査型電子顕微鏡写真である。
【図７】図７は、比較作製例１のアノードの表面を撮影した走査型電子顕微鏡写真である。
【図８】図８は、作製例１〜５および比較作製例１〜２における収縮率および気孔率の評価結果を示すグラフである。
【発明を実施するための形態】
【００１１】
[本開示が解決しようとする課題]
近年、固体電解質を含まないアノードが開発されている。このようなアノードは、発電性能が高く、また、耐衝撃性に優れる。一方、固体電解質層との収縮率の差はより大きくなる。
【００１２】
[本開示の効果]
本開示によれば、燃料電池の発電性能が向上する。
【００１３】
［本開示の実施形態の説明］
最初に本開示の実施形態の内容を列記して説明する。
（１）本開示の燃料電池用電解質層−アノード複合部材は、アノードと、イオン伝導性を有する固体電解質層と、を備える燃料電池用電解質層−アノード複合部材であって、
前記アノードが、複合金属を含む粒状物の集合体であり、
前記複合金属が、ニッケル元素および鉄元素を含み、
前記粒状物が、複数の細孔を備え、前記複合金属が、前記アノードの８０質量％以上を占めており、前記アノードのかさ密度が、前記複合金属の真密度の７５％以下である。この複合部材を備える燃料電池は、優れた発電性能を示す。
【００１４】
（２）前記細孔の径は、５００ｎｍ以下であることが好ましい。これにより、抵抗を低くしながら、気孔率を高くすることが容易となる。
【００１５】
（３）本開示のセル構造体は、上記燃料電池用電解質層−アノード複合部材と、
前記固体電解質層側に配置されたカソードと、を備える。このセル構造体を備える燃料電池は、優れた発電性能を示す。
【００１６】
（４）本開示の燃料電池は、上記セル構造体と、
前記アノードに燃料を供給するための燃料流路と、
前記カソードに酸化剤を供給するための酸化剤流路と、を有する。この燃料電池は発電性能に優れる。
【００１７】
（５）本開示の燃料電池用電解質層−アノード複合部材の製造方法は、ニッケル元素および鉄元素を含む複合酸化物を含む第１層と、イオン伝導性を有する金属酸化物を含む第２層と、の積層体を、還元性ガス雰囲気下、３００℃〜６００℃で加熱処理する工程を備える、燃料電池用電解質層−アノード複合部材の製造方法であって、
前記複合酸化物は、ニッケル元素および鉄元素を含む。
【００１８】
また、（６）本開示の燃料電池用電解質層−アノード複合部材の製造方法は、ニッケル元素および鉄元素を含む複合酸化物を含むアノード材料、および、イオン伝導性を有する金属酸化物を含む固体電解質材料を準備する第１工程と、
前記アノード材料を含む第１層、および、前記固体電解質材料を含む第２層が積層された積層体を形成する第２工程と、
前記積層体を焼成する第３工程と、
焼成された前記積層体を、還元性ガス雰囲気下、３００℃〜６００℃で加熱処理する第４工程と、を備える燃料電池用電解質層−アノード複合部材の製造方法であって、
前記複合酸化物は、ニッケル元素および鉄元素を含む。これらの方法によれば、アノードの収縮率が小さくなって、電解質層とアノードとの間の剥離が抑制される。
【００１９】
（７）前記複合酸化物はスピネル型結晶構造を有することが好ましい。これにより、還元処理の際、アノードを構成する粒状物に優先的に細孔が形成されて、粒状物間の隙間の拡大が抑制され易くなる。
【００２０】
また、（８）前記複合酸化物は、硝酸ニッケルの水溶液に酸化鉄を含浸させる工程を含む含浸法により合成されることが好ましい。これにより、還元処理の際、アノードを構成する粒状物に優先的に細孔が形成されて、粒状物間の隙間の拡大が抑制され易くなる。
【００２１】
［本開示の実施形態の詳細］
本開示の実施形態を具体的に以下に説明する。なお、本発明は、以下の内容に限定されるものではなく、請求の範囲によって示され、請求の範囲と均等の意味および範囲内でのすべての変更が含まれることが意図される。
本明細書において「Ｘ〜Ｙ」という形式の表記は、範囲の上限下限（すなわちＸ以上Ｙ以下）を意味し、Ｘにおいて単位の記載がなく、Ｙにおいてのみ単位が記載されている場合、Ｘの単位とＹの単位とは同じである。
【００２２】
［燃料電池用電解質層−アノード複合部材］
燃料電池用電解質層−アノード複合部材（以下、単に「複合部材」と称す。）は、アノードと、固体電解質層と、を備える。アノードと固体電解質層とは、例えば、焼成により一体化されている。
本開示の一側面において、上記複合部材は、アノードと、上記アノードの上に積層されている固体電解質層とを備える積層体と把握することもできる。
【００２３】
（アノード）
アノードは、後述する流路（燃料流路）から導入される水素などの燃料を酸化する。このとき、プロトンと電子とを放出する反応（燃料の酸化反応）、あるいは、燃料を酸化して、Ｈ2Ｏ（燃料がＣＨ4等の炭化水素である場合は、ＣＯ2）を生成する反応が行われる。アノードの形状はシート状であることが好ましい。
【００２４】
アノードは、ニッケル元素（Ｎｉ）および鉄元素（Ｆｅ）を含む複合金属（以下、「Ｎｉ−Ｆｅ複合金属」と称す。）を含む。Ｎｉ−Ｆｅ複合金属は、アノードの８０質量％以上を占める。よって、アノードは、機械的強度に優れ、高い耐衝撃性を有する。さらに、このようなアノードは低抵抗であるため、電気エネルギーを取り出す際のエネルギー損失が小さくなる。また、アノードと固体電解質層との界面において、水素を分解する触媒であるＮｉ量が多いため、燃料ガス（Ｈ２等）からプロトン（Ｈ＋）を生成する性能が高まり、発電性能が向上する。Ｎｉ−Ｆｅ複合金属のアノードに対する占有率は、９０質量％以上が好ましく、９５質量％以上がより好ましい。当該占有率の上限は、特に制限されないが例えば、１００質量％以下であってもよいし、９９質量％以下であってもよい。アノードには、後述する金属酸化物が含まれていてもよい。
【００２５】
アノードのかさ密度Ｄｂは、複合金属の真密度Ｄｒの７５％以下である。言い換えれば、アノードは高い気孔率（例えば、２５体積％以上）を有する。つまり、本実施形態にかかるアノードは、上記のとおり抵抗が小さく、かつ、高い気孔率を有する。
【００２６】
アノードのかさ密度Ｄｂ（ｇ／ｃｍ３）は、アノードの質量（ｇ）をその見かけの体積（ｃｍ３）で除することにより算出される。複合金属の真密度Ｄｒは、組成によって変化し得る。真密度Ｄｒは、含まれる金属元素の密度にその組成比を乗じて得られる金属元素ごとの仮の密度を、すべて足すことにより算出される。例えば、ＮｉおよびＦｅをＮｉ／Ｆｅ＝１／２で含む複合金属の真密度Ｄｒは、８．３９１ｇ／ｃｍ３である。気孔率（体積％）は、（１−アノードの見かけの単位体積当たりの質量／複合金属の真密度Ｄｒ）×１００、で求められる。すなわち、気孔率（体積％）は、｛１−（アノードのかさ密度Ｄｂ／複合金属の真密度Ｄｒ）｝×１００、で求められる。
【００２７】
複合金属の真密度Ｄｒに対するアノードのかさ密度Ｄｂの割合は、７０％以下であることが好ましく、６５％以下であることがより好ましく、６０％以下であることがさらに好ましい。ただし、後述する粒状物に形成される細孔の径が十分に小さい（例えば、１５０ｎｍ以下）場合、上記割合は、６５％以上、７５％以下であってもよい。
【００２８】
Ｎｉ−Ｆｅ複合金属は、ＮｉとＦｅとの合金であってもよいし、ＦｅＮｉ３等の金属間化合物であってもよい。また、その組成および結晶構造も特に限定されない。Ｎｉ−Ｆｅ複合金属は、ＮｉおよびＦｅを含み、かつ、スピネル型結晶構造を有する複合酸化物から、酸素原子が部分的に欠損した結晶構造を有してもよい。このような結晶構造を有するＮｉ−Ｆｅ複合金属の粒状物は、細孔を多く備える。結晶構造は、例えば、透過顕微鏡−電子エネルギー損失分光法（Transmission  Electron  Microscopy−Electron  Energy  Loss  Spectroscopy）により分析できる。
【００２９】
上記結晶構造を有するＮｉ−Ｆｅ複合金属は、ＮｉＦｅ２Ｏ３で表されるスピネル型結晶構造を有する複合酸化物を、還元することにより得ることができる。この還元の際、粒状物間の隙間の形成に優先して、粒状物に細孔が形成される。
【００３０】
Ｎｉ−Ｆｅ複合金属は、これを含む粒状物の集合体として、アノードに含まれる。粒状物同士は、例えば焼結されている。粒状物の粒径Ｐａは、例えば、５μｍ〜３０μｍである。粒状物の粒径Ｐａは、アノードの表面のＳＥＭ写真を撮影して算出することができる。具体的には、まず、アノードの表面のＳＥＭ写真において、１０個以上の粒状物が含まれる領域Ｒを決める。領域Ｒは例えば、例えば、１００μｍ×５０μｍの領域であってもよい。領域Ｒから任意に１０個の粒状物を選択し、それぞれの最大径を求める。ここで粒状物の「最大径」とは、領域Ｒにおける当該粒状物の外周上にある２点間の距離であって最大の距離を意味する。これら最大径の平均値を、粒状物の粒径Ｐａとする。
【００３１】
粒状物は、それぞれが複数の細孔を備える。細孔同士は連結して、連通孔を形成している。そのため、燃料ガスは、主に細孔を通してアノード内部に拡散する。なお、粒状物同士の間にも隙間は存在し得る。この場合、燃料ガスは、この隙間を通過し得る。上記隙間の幅は、通常、１μｍ以上である。
【００３２】
上記細孔の径（細孔径Ｐｐ）は、５００ｎｍ以下であることが好ましく、２００ｎｍ以下であることがより好ましく、１５０ｎｍ以下であることがさらに好ましい。これにより、抵抗を低くしながら、気孔率を高くすることが容易となる。細孔径Ｐｐも同様に、上記領域Ｒから算出することができる。具体的には、領域Ｒから任意の１個の粒状物を選択し、当該粒状物に形成された任意の１０個の細孔の径を求める。これら径の平均値を、細孔径Ｐｐとする。細孔の径の下限は特に制限されないが、例えば１０ｎｍ以上であってもよいし、３０ｎｍ以上であってもよい。
【００３３】
さらに、アノードの細孔径分布におけるピーク値が、５００ｎｍ以下であることが好ましい。つまり、アノードには、粒状物同士の隙間よりも、粒状物に形成された細孔による空隙が多く含まれている。これにより、アノードの抵抗が低く維持されるとともに、気孔率が高くなる。細孔径分布は、例えば、ＢＪＨ（Barrett-Joyner-Halenda）理論を用いたガス吸着法により測定される。
【００３４】
アノードの形状がシート状である場合、アノードの厚みＴａは、特に限定されない。なかでも、厚みＴａは、０．３ｍｍ〜５ｍｍであることが好ましく、０．５ｍｍ〜４ｍｍであることがより好ましい。厚みＴａがこの範囲であれば、固体電解質層を支持することができるとともに、燃料ガスの輸送抵抗を抑制することができる。
【００３５】
（固体電解質層）
固体電解質層は、イオン伝導性を有する。このような固体電解質層は、イオン伝導性を有する金属酸化物を含む。金属酸化物がプロトン伝導性を有する場合、固体電解質層は、アノードで生成されたプロトンをカソードへと移動させる。金属酸化物が酸素イオン伝導性を有する場合、固体電解質層は、カソードで生成された酸素イオンをアノードへと移動させる。固体電解質層の形状は、シート状であることが好ましい。
【００３６】
固体電解質層の形状がシート状である場合、固体電解質層の厚みＴｅは、イオン伝導性とガス遮断性能とを両立する観点から、３μｍ〜５０μｍであることが好ましく、５μｍ〜３０μｍであることがより好ましい。厚みＴｅと、アノードの厚みＴａの厚みとの比率：Ｔａ／Ｔｅは、１０以上であってもよい。Ｔａ／Ｔｅの上限は例えば、２００以下であってもよい。このように、固体電解質層に対してアノードが十分に厚い場合、固体電解質層は、アノードによって支持され得る。
【００３７】
固体電解質層は、複数の固体電解質層の積層体であってもよい。この場合、各固体電解質層に含まれる金属酸化物の種類は、それぞれ同じであってもよいし、異なっていてもよい。
【００３８】
金属酸化物としては、例えば、燃料電池の固体電解質として用いられる公知の材料を用いることができる。なかでも、プロトン伝導性の金属酸化物としては、ＡＢＯ３で表わされるペロブスカイト型の結晶構造を有する化合物（以下、「ペロブスカイト型酸化物」と称す。）が好ましく例示される。ＡＢＯ３には、ＡＢＯ3-δ（δは酸素欠損量）の結晶構造も含む。ペロブスカイト型の結晶構造とは、ＣａＴｉＯ３に類似の結晶構造である。なお、Ａサイトには、Ｂサイトよりイオン半径の大きな元素が入る。
【００３９】
また、酸素イオン伝導性の金属酸化物としては、二酸化ジルコニウムを含む化合物（以下、「ジルコニウム化合物」と称す。）、ランタンおよびガリウムを含む化合物（以下、「ランタンガレート」と称す。）、セリウムを含む化合物（以下、「セリア化合物」と称す。）が好ましく例示される。
【００４０】
ペロブスカイト型酸化物のＡサイトに入る金属元素は特に限定されないが、例えば、バリウム（Ｂａ）、カルシウム（Ｃａ）、ストロンチウム（Ｓｒ）等の２族元素であってもよい。これらは、１種を単独で、あるいは２種以上を組み合わせて用いることができる。なかでも、プロトン伝導性の観点から、ＡサイトにはＢａが入っていることが好ましい。
【００４１】
Ｂサイトに入る金属元素としては、例えば、セリウム（Ｃｅ）、ジルコニウム（Ｚｒ）、イットリウム（Ｙ）等が挙げられる。なかでも、プロトン伝導性の観点から、Ｂサイトは、ＺｒおよびＣｅの少なくとも１種を含むことが好ましい。なお、Ｂサイトの一部は、セリウム以外の３価の希土類元素で置換されており、このようなドーパントによって酸素欠陥が生じ、ペロブスカイト型酸化物はプロトン伝導性を発現する。
【００４２】
セリウム以外の３価の希土類元素（ドーパント）としては、イットリウム（Ｙ）、スカンジウム（Ｓｃ）、ネオジウム（Ｎｄ）、サマリウム（Ｓｍ）、ガドリニウム（Ｇｄ）、ホルミウム（Ｈｏ）、エルビウム（Ｅｒ）、ツリウム（Ｔｍ）、イッテルビウム（Ｙｂ）、ルテチウム（Ｌｕ）等が挙げられる。なかでも、プロトン伝導性および化学的安定性の観点から、ＹまたはＹよりイオン半径が小さい元素がＢサイトの一部を占めていることが好ましい。上記元素としては、Ｓｃ、Ｈｏ、Ｅｒ、Ｔｍ、ＹｂおよびＬｕが挙げられる。また、Ｂサイトは、希土類元素以外のドーパントとして作用する元素（例えば、インジウム（Ｉｎ）等）を含んでいてもよい。
【００４３】
ペロブスカイト型酸化物のなかでも、特にプロトン伝導性に優れ、高い発電性能を示す点で、式（１−１）：Ｂａx1Ｃｅ1-y1Ｙy1Ｏ3-δ（０．９５≦ｘ１≦１、０＜ｙ１≦０．５、δは酸素欠損量である、ＢＣＹ）、式（２−１）：Ｂａx2Ｚｒ1-y2Ｙy2Ｏ3-δ（０．９５≦ｘ２≦１、０＜ｙ２≦０．５、δは酸素欠損量である、ＢＺＹ）、これらの固溶体である式（３−１）：Ｂａx3Ｚｒ1-y3-y4Ｃｅy3Ｙy4Ｏ3-δ（０．９５≦ｘ３≦１、０＜ｙ３＜１、０＜ｙ４≦０．５、δは酸素欠損量である、ＢＺＣＹ）で表わされる化合物が好ましい。これらのペロブスカイト型酸化物は、一種を単独でまたは二種以上を組み合わせて用いてもよい。この場合、Ｂサイトを占めるＹの一部は、他の元素（例えば、他のランタノイド元素など）で置換されていてもよく、Ａサイトを占めるＢａの一部は、他の２属元素（Ｓｒ、Ｃａ等）で置換されていてもよい。
【００４４】
ジルコニウム化合物は、二酸化ジルコニウムとともに、Ｚｒを置換固溶する、Ｃａ、ＳｃおよびＹよりなる群から選択される少なくとも１種の元素を含む。これにより、ジルコニウム化合物は酸素イオン伝導性を発現する。ジルコニウム化合物としては、酸素イオン伝導性とコストの点で、イットリア安定化ジルコニア（ＺｒＯ2−Ｙ2Ｏ3、ＹＳＺ）が好ましく例示できる。ランタンガレートとしては、（Ｌａ0.9Ｓｒ0.1）ＧａＯ3-δ（ＬＳＧ、δは酸素欠損量である）、（Ｌａ0.8Ｓｒ0.2）（Ｇａ0.8Ｍｇ0.2）Ｏ3-δ（ＬＳＧＭ、δは酸素欠損量である）等が例示できる。セリア化合物としては、ガドリニウムドープセリア（ＧＤＣ）、サマリウムドープセリア（ＳＤＣ）、イットリウムドープセリア（ＹＤＣ）、ランタンドープセリア（ＬＤＣ）等が例示できる。
【００４５】
固体電解質層は、金属酸化物以外の成分を含み得るが、その含有量は少ないことが好ましい。例えば、第２層の９９質量％以上が、金属酸化物であることが好ましい。金属酸化物以外の成分としては特に限定されず、固体電解質として公知の化合物（イオン伝導性を有さない化合物を含む）を挙げることができる。当該固体電解質層における金属酸化物の含有率の上限は、特に制限されないが例えば、１００質量％以下であってもよいし、９９質量％以下であってもよい。
【００４６】
［セル構造体］
セル構造体は、上記複合部材と、固体電解質層側に配置されたカソードと、を備える。複合部材とカソードとは、例えば、焼結により一体化されている。
【００４７】
（カソード）
カソードは、酸素分子を吸着し、解離させてイオン化することができる。さらに、カソードは、多孔質の構造を有している。例えば、金属酸化物がプロトン伝導性を有する場合、カソードでは、固体電解質層を介して伝導されてきたプロトンと、酸化物イオンとの反応（酸素の還元反応）が生じる。酸化物イオンは、後述する酸化物流路から導入された酸化剤（酸素）が解離することにより生成する。カソードは、その形状がシート状であることが好ましい。
【００４８】
カソードの材料としては、例えば、燃料電池およびガス分解装置のカソードとして用いられる公知の材料を用いることができる。カソードの材料は、例えば、ペロブスカイト構造を有する化合物である。具体的には、ランタンストロンチウムコバルトフェライト（ＬＳＣＦ、Ｌａ1-aＳｒaＣｏ1-bＦｅbＯ3-δ、０＜ａ＜１、０＜ｂ＜１、δは酸素欠損量である）、ランタンストロンチウムマンガナイト（ＬＳＭ、Ｌａ1-cＳｒcＭｎＯ3-δ、０＜ｃ＜１、δは酸素欠損量である）、ランタンストロンチウムコバルタイト（ＬＳＣ、Ｌａ1-dＳｒdＣｏＯ3-δ、０＜ｄ＜１、δは酸素欠損量である）、サマリウムストロンチウムコバルタイト（ＳＳＣ、Ｓｍ1-eＳｒeＣｏＯ3-δ、０＜ｅ＜１、δは酸素欠損量である）等が挙げられる。
【００４９】
カソードは、Ａｇ等の触媒を含んでいてもよい。プロトンと酸化剤との反応が促進されるためである。触媒を含む場合、カソードは、触媒と上記材料とを混合して、焼結することにより形成することができる。また、カソードの厚みは、特に限定されないが、１０μｍ〜３０μｍ程度であればよい。
【００５０】
ここで、アノードに、アンモニア、メタン（ＣＨ4）、およびプロパン等の、分解して水素を生成する気体を含むガスを導入すると、アノードでは、これらの気体の分解反応が起こり、水素が発生する。つまり、セル構造体は、ガス分解性能を備えており、ガス分解装置に用いることが可能である。なお、炭素含有ガス（ＣＨ4等）のように、ガス分解後、固体が生成する可能性がある場合、アノードには、酸素イオン伝導性を有する金属酸化物を用いることが好ましい。
【００５１】
例えば、プロトン伝導性を有する金属酸化物を用いてアンモニアを分解する場合、アンモニアの分解により発生した水素は、アノードによって酸化され、プロトンが生成する。生成したプロトンは、固体電解質層を通って、カソードに移動する。一方、アンモニアの分解により同時に生成したＮ２は、排気ガスとして後述する燃料ガス出口から排出される。アノードには、上記ガスを分解する機能を有する触媒を含ませてもよい。アンモニア等のガスを分解する機能を有する触媒としては、Ｆｅ、Ｃｏ、Ｔｉ、Ｍｏ、Ｗ、Ｍｎ、ＲｕおよびＣｕよりなる群から選択される少なくとも１種の触媒成分を含む化合物が挙げられる。
【００５２】
［燃料電池］
図１に燃料電池２００の構造の断面を、模式的に示す。
燃料電池２００は、上記複合部材１０およびカソード２０を備えるセル構造体１００と、アノード１１に燃料を供給するための燃料流路１３０Ａと、ならびに、カソード２０に酸化剤を供給するための酸化剤流路１３０Ｂとを有する。
【００５３】
燃料流路１３０Ａは、燃料ガスが流入する燃料ガス入口と、未使用の燃料、反応により生成するＨ2Ｏ（燃料がＣＨ4等の炭化水素の場合、ＣＯ2）を排出する燃料ガス排出口を有する（いずれも図示せず）。酸化剤流路１３０Ｂは、酸化剤が流入する酸化剤入口と、反応で生成した水および未使用の酸化剤などを排出する酸化剤排出口を有する（いずれも図示せず）。酸化剤としては、酸素を含むガスが例示される。
【００５４】
燃料電池２００は、固体電解質層１２に含まれる金属酸化物が酸素イオン伝導性を有する場合、８００℃以下の温度域で作動可能である。燃料電池２００は、固体電解質層１２に含まれる金属酸化物がプロトン伝導性を有する場合、７００℃以下の温度域で作動可能である。燃料電池２００の動作温度は、４００℃〜６００℃程度の中温域であることが好ましい。
【００５５】
（セパレータ）
燃料流路１３０Ａは、例えば、アノード１１の外側に配置されるセパレータ１２０Ａに形成されていてもよい。同様に、酸化剤流路１３０Ｂは、例えば、カソード２０の外側に配置されるセパレータ１２０Ｂに形成されていてもよい。
すなわち、上記燃料電池２００は、上記複合部材１０およびカソード２０を備えるセル構造体１００と、
アノード１１の外側に配置されるセパレータ１２０Ａと、
カソード２０の外側に配置されるセパレータ１２０Ｂとを有し、
アノード１１の外側に配置されるセパレータ１２０Ａは、アノード１１に燃料を供給するための燃料流路１３０Ａが形成されていて、
カソード２０の外側に配置されるセパレータ１２０Ｂは、カソード２０に酸化剤を供給するための酸化剤流路１３０Ｂが形成されている、と把握することができる。
【００５６】
複数のセル構造体１００が積層されて、燃料電池２００が構成される場合、例えば、セル構造体１００とセパレータ（１２０Ａ、１２０Ｂ）と、さらには後述する集電体（１１０Ａ、１１０Ｂ）とが、一単位として積層される。複数のセル構造体１００は、例えば、両面にガス流路（酸化剤流路および燃料流路）を備えるセパレータにより、直列に接続されていてもよい。
【００５７】
セパレータ１２０Ａ、１２０Ｂの材料としては、導電性および耐熱性の点で、ステンレス鋼、ニッケル基合金、クロム基合金等の耐熱合金が例示できる。なかでも、安価である点で、ステンレス鋼が好ましい。燃料電池２００の動作温度が４００℃〜６００℃程度である場合、ステンレス鋼をセパレータの材料として用いることができる。
【００５８】
（集電体）
燃料電池２００は、さらに集電体を備えていてもよい。例えば、燃料電池２００は、アノード１１とセパレータ１２０Ａとの間に配置されるアノード側の集電体１１０Ａと、カソード２０とセパレータ１２０Ｂとの間に配置されるカソード側の集電体１１０Ｂとを、備えていてもよい。アノード側の集電体１１０Ａは、集電機能に加え、燃料流路１３０Ａから導入される燃料ガスを拡散させながら、アノード１１に供給する機能を果たす。カソード側の集電体１１０Ｂは、集電機能に加え、酸化剤流路１３０Ｂから導入される酸化剤ガスを拡散させながら、カソード２０に供給する機能を果たす。そのため、各集電体は、通気性を有する構造体であることが好ましい。
【００５９】
各集電体に用いられる構造体としては、例えば、白金、銀、銀合金、Ｎｉ、Ｎｉ合金等を含む金属多孔体、金属メッシュ、パンチングメタル、エキスパンドメタル等が挙げられる。なかでも、軽量性および通気性の点で、各集電体に用いられる構造体は金属多孔体であることが好ましい。特に、各集電体に用いられる構造体は三次元網目状の構造を有する金属多孔体であることが好ましい。三次元網目状の構造とは、金属多孔体を構成する棒状または繊維状の金属が相互に三次元的に繋がり合い、ネットワークを形成している構造を指す。三次元網目状の構造としては、例えば、スポンジ状の構造および不織布状の構造が挙げられる。
【００６０】
金属多孔体は、例えば、連続した隙間を有する樹脂製の多孔体を、前記のような金属で被覆することにより形成できる。金属を被覆する処理の後、内部の樹脂が除去されると、金属多孔体の骨格の内部に空洞が形成されて、中空となる。このような構造を有する市販の金属多孔体としては、住友電気工業株式会社製のニッケルの「セルメット」（登録商標）等を用いることができる。
【００６１】
［複合部材の製造方法］
複合部材１０は、例えば、複合酸化物を含む第１層と、イオン伝導性を有する金属酸化物を含む第２層との積層体を、還元性ガス雰囲気下、３００℃〜６００℃で加熱処理する工程を含む方法により製造される。上記複合酸化物は、ニッケル元素および鉄元素を含む。この工程により、粒状物である複合酸化物に細孔が形成される。これにより、第１層の気孔率を高めながら、その収縮を抑制することができる。第１層は、アノード１１の前駆体層であり、第２層は、固体電解質層１２の前駆体層である。
【００６２】
上記複合酸化物を含む第１層と、イオン伝導性を有する金属酸化物を含む第２層との積層体は、上記複合酸化物を含むアノード材料、および、イオン伝導性を有する金属酸化物を含む固体電解質材料を準備する第１工程と、アノード材料を含む第１層および固体電解質材料を含む第２層が積層された積層体を形成する第２工程と、積層体を焼成する第３工程と、を備える方法により作製される。上記複合酸化物は、ニッケル元素および鉄元素を含む。以下、第１工程から第３工程、および、積層体を還元性ガス雰囲気下において３００℃〜６００℃で加熱処理する工程（第４工程）について詳細に説明する。
【００６３】
（第１工程）
第１工程では、アノード材料と固体電解質材料とを準備する。アノード材料は、アノード１１を形成するための材料であって、ニッケル元素および鉄元素を含む複合酸化物を含む。固体電解質材料は、固体電解質層１２を形成するための材料であって、イオン伝導性を有する金属酸化物を含む。
【００６４】
上記複合酸化物の結晶構造は、特に限定されないが、還元処理における第１層の体積変化が小さく、収縮挙動の制御が容易な点で、スピネル型であることが好ましい。上記複合酸化物がこのような結晶構造を有する場合、還元処理において、粒状物に細孔が形成され易い一方、第１層における粒状物同士の隙間の拡大は抑制される。つまり、第１層の見かけの体積がほとんど減少することなく（収縮率が非常に小さい）、気孔率が高まる。
【００６５】
上記複合酸化物の合成方法も特に限定されないが、複合酸化物は、含浸法により合成されることが好ましい。含浸法により合成される複合酸化物は、還元処理において、特に粒状物に細孔が形成され易い。言い換えれば、還元処理後のアノードに含まれる上記複合酸化物を含む粒状物の表面に細孔が形成されている場合、上記複合酸化物は含浸法により合成されている蓋然性が高い。
【００６６】
含浸法は、以下に示す手順により所望の酸化物を合成する方法である。まず、熱処理によってＮｉを含む酸化物を形成する前駆体を、水などの溶媒に溶解する。次に、その溶液に担体を含浸して前駆体を担持させる。その後、前駆体が担持された担体を熱処理することにより所望の酸化物を合成する。例えば、まず硝酸ニッケル（前駆体）の水溶液中に、酸化鉄（担体）の粉体を含浸して、酸化鉄に硝酸ニッケルを担持させる。その後、硝酸ニッケルが担持された酸化鉄を熱処理することにより、スピネル型結晶構造を有し、ＮｉおよびＦｅを備える複合酸化物を得ることができる。
【００６７】
アノード材料における複合酸化物の含有率は、還元後のアノード１１におけるＮｉ−Ｆｅ複合金属の占有率が、８０質量％以上になるような範囲であればよい。
【００６８】
複合酸化物の平均粒径Ｐ０は特に限定されず、例えば、１μｍ〜５０μｍであってもよい。平均粒径Ｐ０は、第１層の表面のＳＥＭ写真を用いて、上記粒状物の粒径Ｐａと同様の方法により算出される。
【００６９】
固体電解質材料およびアノード材料は、成形性の観点から、バインダを含むことが好ましい。バインダとしては、セラミック材料の製造に使用される公知の材料、例えば、エチルセルロースなどのセルロース誘導体（セルロースエーテルなど）、酢酸ビニル系樹脂（プロビニルアルコールなどの酢酸ビニル系樹脂のケン化物も含む）、アクリル樹脂などのポリマーバインダー；パラフィンワックスなどのワックスなどが挙げられる。
【００７０】
アノード材料に含まれるバインダの量は、アノード材料がプレス成形に供される場合には、複合酸化物１００質量部に対して、例えば１〜１５質量部（特には３〜１０質量部）であってもよい。その他の場合には、当該バインダの量は、複合酸化物１００質量部に対して、例えば１〜２０質量部（特には１．５〜１５質量部）であってもよい。固体電解質材料に含まれるバインダの量は、金属酸化物１００質量部に対して、例えば１〜２０質量部（特には１．５〜１５質量部）であってもよい。
【００７１】
各材料は、必要に応じて、水、有機溶媒（例えば、トルエンなどの炭化水素（芳香族炭化水素）；エタノール、イソプロパノールなどのアルコール；ブチルカルビトールアセテートなどのカルビトールなど）などの分散媒を含んでいてもよい。各材料は、必要に応じて、界面活性剤、解膠剤（ポリカルボン酸など）などの各種添加剤を含んでいてもよい。
【００７２】
（第２工程）
第２工程では、アノード材料を含む第１層、および、固体電解質材料を含む固体電解質層の前駆体層（第２層）が積層された積層体を形成する。
【００７３】
各層の形成方法は特に限定されず、所望の各層の厚みに応じて適宜選択すればよい。例えば、厚さ数百μｍ以上の層を形成する場合には、各材料をプレス成型またはテープ成型等により成形することができる。厚さ数μｍ〜数百μｍの層を形成する場合には、各材料をスクリーン印刷、スプレー塗布、スピンコート、ディップコート等、既存の方法により成形することができる。これらの方法を組み合わせて、積層体を形成してもよい。第２層は、通常、スクリーン印刷、スプレー塗布、スピンコート、ディップコート等により形成される。
【００７４】
具体的には、まず、アノード材料を、プレス成型により所定の形状に成形する。この成形体が第１層となる。所定の形状とは、例えば、ペレット状、プレート状またはシート状等である。なお、この成形に先立って、アノード材料を造粒し、造粒物を成形してもよい。また、必要に応じて、得られた造粒物を粉砕処理し、粉砕物を成形に供してもよい。
【００７５】
次いで、成形された第１層の表面に、固体電解質材料を、例えば、スクリーン印刷、スプレー塗布、スピンコート、ディップコート等により塗布し、第２層を形成する。このようにして、積層体が得られる。
【００７６】
固体電解質材料を第１層に塗布する前に、第１層を仮焼成する工程を行ってもよい。仮焼成は、アノード材料が焼結される温度よりも低い温度（例えば、９００℃〜１１００℃）で行えばよい。仮焼成を行うことにより、固体電解質材料が塗布され易くなる。
【００７７】
（第３工程）
第３工程では、得られた積層体を焼成する。焼成は、得られた積層体を、酸素を含有するガスの雰囲気下で、例えば１２００℃〜１７００℃に加熱することにより行われる。焼成の雰囲気中の酸素含有量は、特に限定されない。焼成は、例えば大気雰囲気（酸素含有率：約２０体積％）中で行ってもよいし、純酸素（酸素含有率：１００体積％）中で行ってもよい。焼成は、常圧下または加圧下で行うことができる。
【００７８】
積層体を焼成する前に、各材料に含まれるバインダ等の樹脂成分を除去してもよい。すなわち、固体電解質材料を第１層に塗布した後、積層体を大気中で５００℃〜７００℃程度の比較的低い温度に加熱して、各材料に含まれる樹脂成分を除去する。その後、上記焼成を行う。
【００７９】
第３工程では、アノード材料および固体電解質材料が共焼結される。これにより、第１層と第２層とが一体化するように形成されて、積層体が得られる。
【００８０】
第３工程の後、第４工程の前に、積層体の第２層側に、カソード材料を含む層を積層し、例えば８００℃〜１１００℃で焼成して、カソードを形成してもよい。焼成は、上記と同様の酸素を含有するガスの雰囲気下で行われる。
【００８１】
カソード材料は、アノード材料と同様、バインダを含み得る。この場合、ペースト状またはスラリー状のカソード材料を第２層の表面に塗布することにより、カソード材料を含む層が積層される。カソード材料を含む層の形成方法としては、上記の第２層と同じ方法が例示される。
【００８２】
（第４工程）
第４工程は、積層体の第１層に含まれる複合酸化物の少なくとも一部を還元する工程である。還元処理は、積層体を還元性ガスの雰囲気下において３００℃〜６００℃で加熱することにより行われる。還元処理の温度条件は、３５０℃〜５００℃が好ましい。
【００８３】
上記のとおり、第１層に占める複合酸化物の割合は高い。しかし、上記の温度範囲で還元を行う場合、粒状物への細孔の形成が優先して起こるため、第１層の見かけの体積変化が小さく、収縮率を抑制することができる。例えば、第１層の収縮率は８％以下である。一方、アノード１１に十分な気孔を形成することができる。例えば、得られるアノード１１の気孔率は、２５体積％以上である。
【００８４】
また、粒状物への細孔の形成が優先して起こるため、粒状物自体の見かけの体積変化も小さい。例えば、アノード１１を構成する粒状物の粒径Ｐａは、アノード材料に含まれる複合酸化物の平均粒径Ｐ０の９０％〜９５％である。
【００８５】
還元処理は、常圧下または加圧下で行うことができる。還元性ガスとしては、水素が代表的である。還元性ガスとして、水素のほかに、例えば、メタン、プロパン等の炭化水素を用いてもよい。還元処理は、積層体を燃料電池に組み込む前に行ってもよいし、組み込んだ後に行ってもよい。
【実施例】
【００８６】
以下、実施例に基づき、本発明をより具体的に説明するが、以下の実施例は本発明を限定するものではない。【００８７】
［作製例１］
下記の手順でアノードＡを作製した。
アノード材料として、含浸法により合成されたＮｉおよびＦｅを含むスピネル型複合酸化物（ＮｉＦｅ２Ｏ３、平均粒径Ｐ０：１０μｍ、８０体積％）と、バインダ（アクリル樹脂、２０体積％）とを含む混合粉末を準備した。上記混合粉末を用いて、一軸プレス成形によって、直径１４０ｍｍ、厚み０．８ｍｍの円形シート状成形体（アノードの前駆体）を得た。【００８８】
次いで、得られたアノードの前駆体を、大気中６００℃で１時間加熱して、バインダを除去した後、酸素雰囲気下、１３５０℃で２時間の焼成を行った。続いて、アノードの前駆体を、水素雰囲気下、３００℃で５時間加熱して、複合酸化物をＮｉ−Ｆｅ複合金属に還元し、アノードＡを得た。アノードＡの表面を、走査型電子顕微鏡（ＳＥＭ）を用いて撮影した写真を図２に示す。Ｎｉ−Ｆｅ複合金属の真密度Ｄｒに対するアノードＡのかさ密度Ｄｂの割合は７４％であり、粒状体の粒径Ｐａは１５μｍであった。また、粒状体に形成された細孔径Ｐｐは１２０ｎｍであった。【００８９】
（１）収縮率の評価
得られたアノードの還元処理後の外径を測定した。外径は、アノードを水平面に載置し、水平面の法線方向から見た場合の直径とした。この外径と、焼成後、還元処理前のアノードの前駆体Ａの直径とを比較した。結果を図８に示す。収縮率は、丸形のマーカーで示した。【００９０】
（２）気孔率の評価
アノードの気孔率（体積％）を、（１−アノードの見かけの単位体積当たりの質量／複合金属の真密度Ｄｒ）×１００、で求めた。結果を図８に示す。気孔率は、四角形のマーカーで示した。【００９１】
［作製例２］
還元処理を３５０℃で行ったこと以外は、作製例１と同様にして、アノードＢを作製し、評価した。結果を図８に示す。また、アノードＢの表面を、ＳＥＭを用いて撮影した写真を図３に示す。Ｎｉ−Ｆｅ複合金属の真密度Ｄｒに対するアノードＢのかさ密度Ｄｂの割合は５６％であり、粒状体の粒径Ｐａは１０μｍであった。また、粒状体に形成された細孔径Ｐｐは１３０ｎｍであった。【００９２】
［作製例３］
還元処理を４００℃で行ったこと以外は、作製例１と同様にして、アノードＣを作製し、評価した。結果を図８に示す。また、アノードＣの表面を、ＳＥＭを用いて撮影した写真を図４に示す。Ｎｉ−Ｆｅ複合金属の真密度Ｄｒに対するアノードＣのかさ密度Ｄｂの割合は５４％であり、粒状体の粒径Ｐａは２４μｍであった。また、粒状体に形成された細孔径Ｐｐは１０５ｎｍであった。【００９３】
［作製例４］
還元処理を５００℃で行ったこと以外は、作製例１と同様にして、アノードＤを作製し、評価した。結果を図８に示す。また、アノードＤの表面を、ＳＥＭを用いて撮影した写真を図５に示す。Ｎｉ−Ｆｅ複合金属の真密度Ｄｒに対するアノードＤのかさ密度Ｄｂの割合は６７％であり、粒状体の粒径Ｐａは１５μｍであった。また、粒状体に形成された細孔径Ｐｐは１００ｎｍであった。【００９４】
［作製例５］
還元処理を６００℃で行ったこと以外は、作製例１と同様にして、アノードＥを作製し、評価した。結果を図８に示す。また、アノードＥの表面を、ＳＥＭを用いて撮影した写真を図６に示す。Ｎｉ−Ｆｅ複合金属の真密度Ｄｒに対するアノードＥのかさ密度Ｄｂの割合は６８％であり、粒状体の粒径Ｐａは１１μｍであった。また、粒状体に形成された細孔径Ｐｐは２００ｎｍであった。【００９５】
［比較作製例１］
還元処理を７００℃で行ったこと以外は、作製例１と同様にして、アノードａを作製し、評価した。結果を図８に示す。また、アノードａの表面を、ＳＥＭを用いて撮影した写真を図７に示す。Ｎｉ−Ｆｅ複合金属の真密度Ｄｒに対するアノードａのかさ密度Ｄｂの割合は８４％であり、粒状体の粒径Ｐａは２１μｍであった。また、粒状体に形成された細孔径Ｐｐは８５０ｎｍであった。【００９６】
［比較作製例２］
還元処理を８００℃で行ったこと以外は、作製例１と同様にして、アノードｂを作製し、評価した。結果を図８に示す。【００９７】
作製例１〜５で作製されたアノードＡ〜Ｅは、気孔率が２５体積％以上であり、収縮率は８％以下であった。また、アノードＡ〜Ｅにおける粒状物には多数の細孔が形成されている一方、粒状物間の隙間は小さかった。さらに、アノードＡ〜Ｅにおける粒状物は、滑らかな外観を備えていた。一方、比較作製例１および２で作製されたアノードａ、ｂは、気孔率が２５体積％未満であり、収縮率は８％を大きく越えていた。また、アノードａにおける粒状物は歪な外観を備えており、その粒径Ｐａは、原料である複合酸化物の平均粒径よりも小さくなっていた。アノードｂについても同様であった。【００９８】
［実施例１］
下記の手順で燃料電池を作製した。
（１）固体電解質材料の準備
金属酸化物として、ＢａＣｅＯ3とＹ2Ｏ3との固溶体であり、ペロブスカイト型の結晶構造を持つＢＣＹ粉末を準備した。ＢＣＹ中のＣｅとＹとの比率（原子組成比）は８０：２０であった。ＢＣＹ粉末の化学式は、ＢａＣｅ0.8Ｙ0.2Ｏ2.9と推定された。固体電解質材料として、上記ＢＣＹ粉末（３５体積％）と、有機溶媒（ブチルカルビトールアセテート、４０体積％）と、バインダ（セルロース樹脂、２５体積％）とを含むペーストを準備した。【００９９】
（２）複合部材の前駆体の作製
作製例１と同様にして得られたアノードの前駆体（第１層）の表面に、上記ペーストをスクリーン印刷によって塗布して第２層を形成し、積層体を得た。塗布厚は、約１５μｍであった。次いで、得られた積層体を、大気中６００℃で１時間加熱して、バインダおよび有機溶媒を除去した後、酸素雰囲気下、１３５０℃で２時間の焼成を行った。【０１００】
（３）セル構造体の前駆体の作製
（２）で焼成された積層体の固体電解質層の表面に、カソードの材料であるＬＳＣＦ（Ｌａ0.6Ｓｒ0.4Ｃｏ0.2Ｆｅ0.8Ｏ3-δ）（δは酸素欠損量である）の粉末と上記有機溶媒とを混合したＬＳＣＦペーストをスクリーン印刷し、続いて、１０００℃で２時間の焼成を行った。カソードの厚みは１０μｍであった。【０１０１】
（４）燃料電池の作製
上記で得られたセル構造体の前駆体のそれぞれの表面に、ニッケル多孔質体（住友電気工業株式会社製、セルメット、厚み１ｍｍ、気孔率９５体積％）で構成された集電体を積層した。さらに、各集電体の上に、流路を有するステンレス鋼製のセパレータを積層して、図１に示す燃料電池Ａを作製した。各集電体には、リード線の一方の端部を接合した。上記リード線の他方の端部は、燃料電池の外部に引き出し、各リード線の間の電流値および電圧値を計測できるように、計測器に接続した。【０１０２】
（５）還元処理
続いて、燃料電池Ａの動作温度（還元温度）を３００℃として、第１層に燃料ガスとして水素を１００ｃｍ３／分で流し、カソードに空気を３００ｃｍ３／分で流して、第１層に含まれる複合酸化物を還元した。これにより、複合部材Ａおよびセル構造体Ａを得た。セル構造体Ａにクラックおよび剥離等の破損は見られなかった。【０１０３】
（６）発電性能評価
続いて、動作温度を６００℃まで昇温して、燃料電池Ａの最大の出力密度を求めた。結果を表１に示す。【０１０４】
［実施例２］
還元処理を３５０℃で行ったこと以外は、実施例１と同様にして、複合部材Ｂ、セル構造体Ｂおよび燃料電池Ｂを作製し、評価した。結果を表１に示す。セル構造体Ｂにクラックおよび剥離等の破損は見られなかった。【０１０５】
［実施例３］
還元処理を４００℃で行ったこと以外は、実施例１と同様にして、複合部材Ｃ、セル構造体Ｃおよび燃料電池Ｃを作製し、評価した。結果を表１に示す。セル構造体Ｃにクラックおよび剥離等の破損は見られなかった。【０１０６】
［実施例４］
還元処理を５００℃で行ったこと以外は、実施例１と同様にして、複合部材Ｄ、セル構造体Ｄおよび燃料電池Ｄを作製し、評価した。結果を表１に示す。セル構造体Ｄにクラックおよび剥離等の破損は見られなかった。【０１０７】
［実施例５］
還元処理を６００℃で行ったこと以外は、実施例１と同様にして、複合部材Ｅ、セル構造体Ｅおよび燃料電池Ｅを作製し、評価した。結果を表１に示す。セル構造体Ｅにクラックおよび剥離等の破損は見られなかった。【０１０８】
［比較例１］
還元処理を７００℃で行ったこと以外は、実施例１と同様にして、複合部材ａ、セル構造体ａおよび燃料電池ａを作製し、評価した。結果を表１に示す。セル構造体ａにおいて、アノードと固体電解質層との間に剥離がみられた。【０１０９】
【表１】
2019171903.tif 000003
【符号の説明】
【０１１０】
１０：複合部材、１１：アノード、１２：固体電解質層、２０：カソード、１００：セ、ル構造体、１１０Ａ、１１０Ｂ：集電体、１２０Ａ、１２０Ｂ：セパレータ、１３０Ａ：、燃料流路、１３０Ｂ：酸化剤流路、２００：燃料電池。
【図１】
2019171903.tif 000004
【図２】
2019171903.tif 000005
【図３】
2019171903.tif 000006
【図４】
2019171903.tif 000007
【図５】
2019171903.tif 000008
【図６】
2019171903.tif 000009
【図７】
2019171903.tif 000010
【図８】
2019171903.tif 000011
【国際調査報告】
2019171903.tif 000012
2019171903.tif 000013
2019171903.tif 000014
2019171903.tif 000015